(57)【特許請求の範囲】
【請求項１】
電話回線へ接続するための回線側接続端子と、
電話機を接続するための電話機側接続端子と、
前記電話機側接続端子を前記電話回線に繋げるために、前記電話機側接続端子と前記回線側接続端子とを接続するための中継線と、
前記電話回線を用いたファクシミリ通信が行われる時、前記中継線を遮断するスイッチ部と、
前記電話回線に供給される供給電圧を検出する電圧検出部と、
前記スイッチ部を制御して前記中継線を遮断した状態で前記電圧検出部により検出される電圧の大きさに基づいて、前記回線側接続端子及び前記電話機側接続端子への誤接続が生じているか否かを判定する誤接続判定部と、
前記誤接続判定部により前記誤接続が生じていると判定された場合に、前記電話回線を用いたファクシミリ通信の使用を禁止する処置実行部と、を備え、
前記処置実行部は、前記誤接続判定部により前記誤接続が生じていると判定された場合、前記電話回線とは別の通信手段を用いたファクシミリ通信が使用可能であるか否かを判断し、前記別の通信手段を用いたファクシミリ通信が使用可能であると判断したときは、前記別の通信手段を用いたファクシミリ通信を実行し、前記別の通信手段を用いたファクシミリ通信が使用可能でないと判断したときは、ファクシミリ通信の使用を禁止する通信装置。
【請求項２】
前記電圧検出部により検出される電圧の変化から、前記回線側接続端子及び前記電話機側接続端子に対する前記回線側接続端子及び前記電話機側接続端子の接続状態及び非接続状態が連続して生じたかを監視する監視部を更に備え、
前記監視部により前記接続状態に変化があったと判断された場合、前記誤接続判定部が前記回線側接続端子及び前記電話機側接続端子への誤接続が解消されているか否かを判定し、
前記処置実行部は、前記誤接続判定部により前記誤接続が解消されていると判定された場合、ファクシミリ通信の使用制限を解除する請求項１に記載の通信装置。
【請求項３】
表示部を更に備え、
前記処置実行部は、前記誤接続判定部により前記誤接続が生じていると判定された場合に、前記表示部に、誤接続が生じている旨のメッセージを表示させる請求項１又は請求項２に記載の通信装置。
【発明の詳細な説明】
【技術分野】
【０００１】
本発明は、通信装置に関し、特に、電話回線に接続されて使用される、ファクシミリ機能を有した通信装置に関する。
【背景技術】
【０００２】
電話回線に接続されて使用される、ファクシミリ機能を有した通信装置においては、電話回線に接続するためのモジュラージャック（回線端子）に、電話回線に繋がれたモジュラーケーブルが正しく装着されているか否かを検出する技術が採用されている。例えば、下記の特許文献１には、電話回線の供給電圧の値に基づいて、電話回線に繋がれた回線接続コード（モジュラーケーブル）が正しく装着されているか否かを判定し、正しく装着されていないと判定すると、その旨を表示することが記載されている。
【先行技術文献】
【特許文献】
【０００３】
【特許文献１】特開２００１−５３８９５号公報
【発明の概要】
【発明が解決しようとする課題】
【０００４】
ファクシミリ機能を有した通信装置においては、電話回線を接続するためのモジュラージャックだけでなく、通話用の電話機を接続するためのモジュラージャックが設けられているものがある。
【０００５】
これら２つのモジュラージャックは中継線を介して接続されるが、ファクシミリ通信が行われる時、中継線は遮断され、電話機側からのノイズが通信データに入るのを防止している。例えば、ＣＥＧ信号（被呼端末識別信号）を受信し、相手先が受信モードであることが分かると、この中継線は遮断される。
【０００６】
ここで、これらモジュラージャックには、同一形状のものが採用されることが多いため、電話回線側のモジュラージャックに、電話機に繋がれたモジュラーケーブルを装着し、電話機側のモジュラージャックに、電話回線に繋がれたモジュラーケーブルを装着するという、モジュラージャックへの誤接続が生じる場合がある。
【０００７】
このような誤接続が生じた場合でも、電話機を用いた通話については支障なく行えるが、ファクシミリ通信が行われる時には、中継線が遮断され、電話回線が遮断されることになるので、ファクシミリ通信はできない。
【０００８】
また、中継線が遮断されるのは、ＣＥＧ信号を受信した後であり、相手先と電話回線が繋がってからなので、ファクシミリ通信ができないにも拘わらず、通信料が掛かってしまう。
【０００９】
従って、特許文献１に記載されたように、電話回線に接続するためのモジュラージャックに、電話回線に繋がれたモジュラーケーブルが正しく装着されているか否かを検出し、正しく装着されていない場合に、その旨を表示するだけでは不十分である。
【００１０】
本発明は、上記の事情に鑑みなされたものであり、電話回線、電話機それぞれを接続するための接続端子への誤接続が生じた場合に、無駄な通信料が発生するなどの不都合を解消することを目的とする。
【課題を解決するための手段】
【００１１】
本発明の一局面に係る通信装置は、電話回線を接続するための回線側接続端子と、
電話機へ接続するための電話機側接続端子と、
前記電話機側接続端子を前記電話回線に繋げるために、前記電話機側接続端子と前記回線側接続端子とを接続するための中継線と、
前記電話回線を用いたファクシミリ通信が行われる時、前記中継線を遮断するスイッチ部と、
前記電話回線に供給される供給電圧を検出する電圧検出部と、
前記スイッチ部を制御して前記中継線を遮断した状態で前記電圧検出部により検出される電圧の大きさに基づいて、前記回線側接続端子及び前記電話機側接続端子への誤接続が生じているか否かを判定する誤接続判定部と、
前記誤接続判定部により前記誤接続が生じていると判定された場合に、前記電話回線を用いたファクシミリ通信の使用を禁止する処置実行部と、を備える。
【００１２】
また、本発明の一局面に係る通信装置は、電話回線へ接続するための回線側接続端子と、
電話機を接続するための電話機側接続端子と、
前記電話機側接続端子を前記電話回線に繋げるために、前記電話機側接続端子と前記回線側接続端子とを接続するための電話機側中継線と、
前記電話機側中継線と前記回線側接続端子とを接続するための回線側中継線と、
前記電話回線を用いたファクシミリ通信が行われる時、前記電話機側中継線を遮断する電話機側スイッチ部と、
前記回線側中継線を遮断する回線側スイッチ部と、
電話回線の供給電圧を検出する電圧検出部と、
前記スイッチ部を制御して前記電話機側中継線を遮断し、前記電圧検出部により検出される電圧の大きさから、前記回線側接続端子及び前記電話機側接続端子への誤接続が生じているか否かを判定する誤接続判定部と、
前記誤接続判定部により前記誤接続が生じていると判定された場合、前記電話回線を用いたファクシミリ通信が行われる時、前記回線側スイッチ部を制御して、前記電話機側中継線ではなく前記回線側中継線を遮断する処置実行部と、を備える。
【発明の効果】
【００１３】
本発明の一局面に係る通信装置によれば、電話機側接続端子と回線側接続端子とを接続するための中継線が遮断されたときに検出される電話回線の供給電圧の大きさから、これら端子への誤接続が生じているか否かが判定され、これら端子への誤接続が生じていると判定された場合、電話回線を用いたファクシミリ通信の使用が禁止されるので、無駄な通信料が発生するなどの不都合を解消することができる。
【００１４】
これら端子への接続が正しく行われている場合には、電話回線からの給電により、電話回線の供給電圧は例えば48Ｖ程度になる。これに対し、これら端子への誤接続が生じている場合、中継線が遮断されると、電話回線も遮断されるので、電話回線からの給電が無くなり、供給電圧は上記48Vよりも低いレベルとなる。従って、中継線が遮断されたときの電話回線の供給電圧の大きさから、これら端子への誤接続が生じているか否かを適切に判定することができる。
【００１５】
また、本発明の一局面に係る通信装置によれば、回線側接続端子及び電話機側接続端子への誤接続が生じていると判定された場合、電話回線を用いたファクシミリ通信が行われる時、電話機側接続端子（実際には、電話回線と接続されている端子）と回線側接続端子（実際には、電話機が接続されている端子）とを接続するための電話機側中継線は遮断されず、回線側中継線が遮断される。
【００１６】
従って、ファクシミリ通信が行われる時、電話機と電話回線とを繋ぐ中継線は遮断されるが、電話回線は遮断されないので、電話回線を用いたファクシミリ通信ができ、電話機からのノイズが通信データに入るのを防止することもできる。
【図面の簡単な説明】
【００１７】
【図１】本発明の第１実施形態に係る通信装置としての画像形成装置の主要内部構成を概略的に示した機能ブロック図である。
【図２】第１実施形態に係る通信装置としての画像形成装置のファクシミリ通信部及びその周辺部の主要内部構成を概略的に示した機能ブロック図である。
【図３】制御ユニットにおける処理動作の一例を示した図である。
【図４】モジュラージャックへの誤接続が生じている状態を示したフローチャートである。
【図５】制御ユニットにおける処理動作の一例を示したフローチャートである。
【図６】第２実施形態に係る通信装置としての画像形成装置のファクシミリ通信部及びその周辺部の主要内部構成を概略的に示した機能ブロック図である。
【図７】制御ユニットにおける処理動作の一例を示したフローチャートである。
【図８】制御ユニットにおける処理動作の一例を示したフローチャートである。
【発明を実施するための形態】
【００１８】
以下、本発明の一実施形態に係る通信装置について図面を参照して説明する。図１は、本発明の第１実施形態に係る通信装置としての画像形成装置の主要内部構成を概略的に示した機能ブロック図である。画像形成装置１は、例えば、コピー機能、プリンター機能、スキャナー機能、及びファクシミリ機能のような複数の機能を兼ね備えた複合機であり、制御ユニット１０、原稿給送部６、原稿読取部５、画像形成部１２、画像メモリー３２、ＨＤＤ（Hard Disk Drive）９２、定着部１３、操作部４７、ファクシミリ通信部７１、及びネットワークインターフェイス部９１を含んで構成されている。
【００１９】
原稿給送部６は、読取対象の原稿を原稿読取部５へ給送する。
【００２０】
原稿読取部５は、制御ユニット１０を構成する制御部１００による制御の下、光照射部及びＣＣＤ（Charge Coupled Device）センサー等を有する読取機構（図示せず）を備えており、原稿読取部５は、光照射部を使って原稿を照射し、その反射光をＣＣＤセンサーで受光することによって、原稿から画像を読み取る。
【００２１】
画像形成部１２は、印刷すべき画像のトナー像を用紙上に形成する。
【００２２】
画像メモリー３２は、原稿読取部５による読み取りで得られた原稿の画像データを一時的に記憶したり、画像形成部１２のプリント対象となるデータを一時的に保存したりするための領域である。
【００２３】
ＨＤＤ９２は、原稿読取部５によって読み取られた原稿画像等を記憶する大容量の記憶装置である。
【００２４】
定着部１３は、用紙上のトナー像を、熱圧着により用紙に定着させる。
【００２５】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００２６】
ファクシミリ通信部７１は、図示しない符号化・複合化部、変復調部、及びＮＣＵ（Network Control Unit）等を備え、公衆電話回線網を用いてのファクシミリの通信を行うものである。
【００２７】
ネットワークインターフェイス部９１は、ＬＡＮ（Local Area Network）ボード等の通信モジュールを含んで構成され、ネットワークインターフェイス部９１に接続されたＬＡＮ等を介して、ローカルエリア内、又はインターネット上のパーソナルコンピューター等の外部装置２０と種々のデータの送受信を行うものである。
【００２８】
制御ユニット１０は、ＣＰＵ（Central Processing Unit）、ＲＡＭ（Random Access Memory）、ＲＯＭ（Read Only Memory）、及び専用のハードウェア回路を含んで構成される。制御ユニット１０は、画像形成装置１の全体的な動作制御を司る制御部１００と、誤接続判定部１０１と、処置実行部１０２と、監視部１０３と、を備えている。
【００２９】
制御ユニット１０は、ＨＤＤ９２にインストールされている制御プログラムに従った動作により、制御部１００、誤接続判定部１０１、処置実行部１０２、及び監視部１０３として機能するものである。但し、制御部１００等は、制御ユニット１０による制御プログラムに従った動作によらず、それぞれハードウェア回路により構成することも可能である。以下、特に触れない限り、各実施形態について同様である。
【００３０】
制御部１００は、原稿搬送部６、画像読取部５、画像形成部１２、画像メモリー３２、ＨＤＤ９２、定着部１３、操作部４７、ファクシミリ通信部７１、及びネットワークインターフェイス部９１と接続され、これら各部の駆動制御を行う。なお、誤接続判定部１０１、処置実行部１０２、及び監視部１０３については、図２を用いて後で詳しく説明する。
【００３１】
図２は、ファクシミリ通信部７１及びその周辺部の主要内部構成を概略的に示した機能ブロック図である。なお、図１に示した画像形成装置１と同様の構成部分については同符号を付し、ここではその詳しい説明を省略する。
【００３２】
２線式の電話回線Ｌは、２本の通信線Ｌ１，Ｌ２で構成され、交換機８０と接続されている。電話回線Ｌは、画像形成装置１が設置される建造物の壁８１まで延びており、そこでモジュラージャックＪ１が形成されている。
【００３３】
画像形成装置１は、制御ユニット１０、操作部４７、ネットワークインターフェイス部９１、及びファクシミリ通信部７１を含んで構成され、画像形成装置１の本体側面には、モジュラージャックＪ２，Ｊ３が形成されている。
【００３４】
モジュラーケーブルＣＡは、２本の通信線ＣＡ１，ＣＡ２で構成され、その一端を壁８１に形成されたモジュラージャックＪ１に装着し、他端を画像形成装置１に設けられたモジュラージャックＪ２に装着することによって、電話回線Ｌに画像形成装置１を繋げることができる。なお、モジュラージャックＪ２は、特許請求の範囲における回線側接続端子の一例となる。
【００３５】
モジュラーケーブルＣＢは、長さの違いはあったとしてもモジュラーケーブルＣＡと同様のものであり、２本の通信線ＣＢ１，ＣＢ２で構成され、その一端を電話機８２に装着し、他端を画像形成装置１に設けられたモジュラージャックＪ３に装着することによって、電話機８２を画像形成装置１に繋げることができる。なお、図示しないが、電話機８２にも、画像形成装置１に設けられているモジュラージャックＪ３と同様のモジュラージャックが形成されている。また、モジュラージャックＪ３は、特許請求の範囲における電話機側接続端子の一例となる。
【００３６】
ファクシミリ通信部７１は、モデム７２とＮＣＵ７３とを備えるとともに、モデム７２はＮＣＵ７３と接続され、モデム７２は制御ユニット１０と接続されている。ＮＣＵ７３は、通信線Ａ１，Ａ２を有する接続線Ａを介して、モジュラージャックＪ２に接続されている。
【００３７】
モジュラージャックＪ３は、通信線Ｂ１，Ｂ２を有する中継線Ｂを介して、モジュラージャックＪ２に接続されている。すなわち、電話機８２は交換機８０（電話回線Ｌ）に接続されている。
【００３８】
中継線Ｂの通信線Ｂ１には、通信線Ｂ１を遮断するためのリレー７５が設けられている。リレー７５は、電話機８２と交換機８０とを接続したり、切断したりするために設けられ、制御ユニット１０によってオン・オフが制御される。例えば、電話回線Ｌを用いたファクシミリ通信が行われる時、電話機８２からのノイズが通信データに入らないようにリレー７５はオフされる。なお、リレー７５は、特許請求の範囲におけるスイッチ部の一例となる。
【００３９】
接続線Ａの通信線Ａ１，Ａ２の間には、抵抗７６が設けられ、ＮＣＵ７３は、通信線Ａ１と通信線Ａ２との間の電圧（電話回線Ｌの供給電圧）を検出する電圧検出部７４を備える。ＮＣＵ７３の電圧検出部７４で検出された電圧値を示すデジタルデータは、モデム７２を介して、制御ユニット１０へ送信される。
【００４０】
制御ユニット１０に備えられる誤接続判定部１０１は、リレー７５を制御して中継線Ｂの通信線Ｂ１を遮断し、電圧検出部７４により検出される電圧の大きさから、モジュラージャックＪ２，Ｊ３への誤接続が生じているか否かを判定する。例えば、誤接続判定部１０１は、モジュラージャックＪ２に対して正確にモジュラーケーブルＣＡが接続された場合に生じる予め定められた電圧と、モジュラージャックＪ３に対して正確にモジュラーケーブルＣＢが接続された場合に生じる予め定められた電圧とを記憶しており、電圧検出部７４により検出される電圧が、これら予め定められた電圧に一致する場合に、モジュラージャックＪ２に対して正確にモジュラーケーブルＣＡが接続されており、モジュラージャックＪ３に対して正確にモジュラーケーブルＣＢが接続されていると判定する。他方、誤接続判定部１０１は、電圧検出部７４により検出される電圧が、これら予め定められた電圧に一致しない場合に、モジュラージャックＪ２に対して正確にモジュラーケーブルＣＡが接続されておらず、モジュラージャックＪ３に対して正確にモジュラーケーブルＣＢが接続されていないと判定する。
【００４１】
処置実行部１０２は、誤接続判定部１０１による判定結果に応じた適切な処置を行う。処置実行部１０２は、例えば、誤接続判定部１０１によりモジュラージャックＪ２，Ｊ３への誤接続が生じていると判定された場合、電話回線Ｌを用いたファクシミリ通信の使用を禁止する。
【００４２】
監視部１０３は、電圧検出部７４により検出される電圧の変化から、モジュラージャックＪ２，Ｊ３に対するモジュラーケーブルＣＡ，ＣＢの接続状態及び非接続状態が連続して生じたかを監視する。すなわち、監視部１０３は、監視部１０３が、モジュラーケーブルＣＡ，ＣＢがモジュラージャックＪ２，Ｊ３から一旦引き抜かれた後、再度装着されたか否か（すなわち、モジュラージャックＪ２，Ｊ３に対するモジュラーケーブルＣＡ，ＣＢの装着のやり直しが行われたか否か）を監視する。
【００４３】
次に、制御ユニット１０で行われる処理動作について、図３に示したフローチャートに基づいて説明する。なお、この処理動作は、電源が投入され、ファクシミリ通信部７１が使用可能な状態になったときに行われる処理動作である。
【００４４】
まず、誤接続判定部１０１が、ファクシミリ通信部７１のリレー７５をオフに制御して、中継線Ｂを遮断し、電圧検出部７４により検出される電圧の大きさからモジュラージャックＪ２，Ｊ３への誤接続が生じているか否かを判定する（Ｓ１）。
【００４５】
図４は、モジュラージャックＪ２，Ｊ３に対する誤接続が生じている場合を示した図であり、モジュラーケーブルＣＡの一端がモジュラージャックＪ１に装着されているが、他端はモジュラージャックＪ３に装着されている。また、モジュラーケーブルＣＢの一端が電話機８２に装着されているが、他端はモジュラージャックＪ２に装着されている。
【００４６】
図２に示したように、モジュラージャックＪ２，Ｊ３に対する誤接続が生じていない場合、リレー７５をオフしても、ファクシミリ通信部７１は交換機８０（電話回線Ｌ）から給電されるが、図４に示したように、モジュラージャックＪ２，Ｊ３に対する誤接続が生じている場合、リレー７５をオフすると、電話回線Ｌが切断されるので、交換機８０（電話回線Ｌ）からの給電が無くなる。従って、リレー７５をオフしたときに電圧検出部７４により検出される電圧の大きさからモジュラージャックＪ２，Ｊ３への誤接続が生じているか否かを判定することができる。
【００４７】
誤接続判定部１０１が、モジュラージャックＪ２，Ｊ３への誤接続が生じていないと判定すれば（Ｓ１でＮＯ）、Ｓ１へ戻る。
【００４８】
一方、誤接続判定部１０１が、モジュラージャックＪ２，Ｊ３への誤接続が生じていると判定すれば（Ｓ１でＹＥＳ）、誤接続判定部１０１は、リレー７５をオンに制御し（Ｓ２）、処置実行部１０２が、モジュラージャックＪ２，Ｊ３への誤接続が生じていることを示すメッセージを表示部４７３に表示する（Ｓ３）。
【００４９】
次に、処置実行部１０２が、画像形成装置１がＩＰ−ＦＡＸ対応機であるか否か（すなわち、ＩＰ−ＦＡＸによるファクシミリ機能を有しているか否か）を判断し（Ｓ４）、処置実行部１０２が、画像形成装置１がＩＰ−ＦＡＸ対応機であると判断すれば（Ｓ４でＹＥＳ）、処置実行部１０２が、ネットワークインターフェイス部９１の状態に基づいて、画像形成装置１がネットワーク環境に接続され、ＩＰ−ＦＡＸによるファクシミリ通信が使用できる状態にあるか否かを判断する（Ｓ５）。
【００５０】
処置実行部１０２が、ＩＰ−ＦＡＸによるファクシミリ通信が使用できる状態にあると判断すれば（Ｓ５でＹＥＳ）、処置実行部１０２は、ファクシミリ通信の使用を許可する（Ｓ６）。但し、Ｇ３−ＦＡＸによるファクシミリ通信（電話回線Ｌを用いたファクシミリ通信）の使用については禁止する。
【００５１】
具体的には、Ｇ３−ＦＡＸの受信モードを「手動受信モード」に設定することによって、Ｇ３−ＦＡＸによるファクシミリ通信ができないにも拘わらず、Ｇ３−ＦＡＸが受信動作に自動的に切り替わるのを防止する。また、ユーザーからファクシミリ送信が指示された場合には、ＩＰ−ＦＡＸを使ってファクシミリ送信を行う。
【００５２】
一方、処置実行部１０２が、画像形成装置１がＩＰ−ＦＡＸ対応機でないと判断し（Ｓ４でＮＯ）、又は処置実行部１０２が、ＩＰ−ＦＡＸによるファクシミリ通信が使用できる状態にないと判断すれば（Ｓ５でＮＯ）、処置実行部１０２は、ファクシミリ通信の使用を禁止する（Ｓ７）。
【００５３】
ファクシミリ通信の使用を禁止する具体例としては、処置実行部１０２が、表示部４７３に表示される操作画面上での操作を制限することによって、ファクシミリ機能に対応する選択ボタンを選択不可としたり、処置実行部１０２が、ファクシミリ通信部７１に、外部装置２０（例えば、パソコン）からのファクシミリ送信の指示を受け付けさせないようにしたりすること等がある。また、処置実行部１０２は、画像形成装置１ファクシミリ受信モードを「手動受信モード」に設定することによって、ファクシミリ通信ができないにも拘わらず、受信動作に自動的に切り替わるのを防止するようにしてもよい。
【００５４】
次に、制御ユニット１０で行われる処理動作について、図５に示したフローチャートに基づいて説明する。なお、この処理動作は、モジュラージャックＪ２，Ｊ３への誤接続が解消されていない場合に行われる処理動作である。
【００５５】
まず、監視部１０３が、電圧検出部７４により検出される電圧の変化を監視し（Ｓ１１）、監視部１０３が、モジュラーケーブルＣＡ，ＣＢがモジュラージャックＪ２，Ｊ３から一旦引き抜かれた後、再度装着されたか否か（すなわち、モジュラージャックＪ２，Ｊ３に対するモジュラーケーブルＣＡ，ＣＢの装着のやり直しが行われたか否か）を判断する（Ｓ１２）。
【００５６】
リレー７５がオンされていれば、モジュラージャックＪ２，Ｊ３への誤接続が生じていても、交換機８０（電話回線Ｌ）からファクシミリ通信部７１へ給電されるため、電圧検出部７４によって電圧が検出されるが、モジュラーケーブルＣＡ，ＣＢがモジュラージャックＪ２，Ｊ３から引き抜かれると、交換機８０からの給電は無くなるので、電圧検出部７４によって電圧は検出されない。従って、電圧検出部７４により検出される電圧の変化から、モジュラージャックＪ２，Ｊ３に対するモジュラーケーブルＣＡ，ＣＢの装着のやり直しが行われたか否かを判断することができる。
【００５７】
監視部１０３が、モジュラージャックＪ２，Ｊ３に対するモジュラーケーブルＣＡ，ＣＢの装着のやり直しが行われていないと判断すれば（Ｓ１２でＮＯ）、Ｓ１１へ戻る。
【００５８】
一方、監視部１０３が、モジュラージャックＪ２，Ｊ３に対するモジュラーケーブルＣＡ，ＣＢの装着のやり直しが行われたと判断すれば（Ｓ１２でＹＥＳ）、誤接続判定部１０１が、リレー７５をオフに制御して、中継線Ｂを遮断し、電圧検出部７４により検出される電圧の大きさからモジュラージャックＪ２，Ｊ３へモジュラーケーブルＣＡ，ＣＢが正しく装着され、誤接続が解消されたか否かを判定する（Ｓ１３）。
【００５９】
誤接続判定部１０１が、モジュラージャックＪ２，Ｊ３への誤接続が解消されていないと判定すれば（Ｓ１３でＮＯ）、Ｓ１１へ戻る。
【００６０】
一方、誤接続判定部１０１が、モジュラージャックＪ２，Ｊ３への誤接続が解消されたと判定すれば（Ｓ１３でＹＥＳ）、誤接続判定部１０１は、リレー７５をオンに制御し（Ｓ１４）、処置実行部１０２が、モジュラージャックＪ２，Ｊ３への誤接続が解消されたことを示すメッセージを表示部４７３に表示する（Ｓ１５）。
【００６１】
次に、処置実行部１０２が、ファクシミリ通信の使用が制限されているか否かを判断し（Ｓ１６）、処置実行部１０２が、ファクシミリ通信の使用が制限されていると判断すれば（Ｓ１６でＹＥＳ）、処置実行部１０２が、ファクシミリ通信の使用制限を解除する（Ｓ１７）。一方、処置実行部１０２が、ファクシミリ通信の使用が制限されていないと判断すれば（Ｓ１６でＮＯ）、そのままこの処理動作を終了する。
【００６２】
上記実施形態によれば、モジュラージャックＪ２とモジュラージャックＪ３とを接続するための中継線Ｂが遮断されたときに検出される電話回線Ｌの供給電圧の大きさから、これらモジュラージャックＪ２，Ｊ３への誤接続が生じているか否かが判定され、これらモジュラージャックＪ２，Ｊ３への誤接続が生じていると判定された場合、Ｇ３−ＦＡＸによるファクシミリ通信の使用が禁止されるので、無駄な通信料が発生するなどの不都合を解消することができる。従来は、中継線が遮断されるのは、ＣＥＧ信号を受信した後であり、相手先と電話回線が繋がってからなので、ファクシミリ通信ができないにも拘わらず通信料が掛かってしまう事態が生じていたが、本実施形態に係る画像形成装置１では、このような事態は生じない。
【００６３】
また、ＩＰ−ＦＡＸによるファクシミリ通信が使用できる場合には、ファクシミリ通信の使用が全て禁止されるわけではないので、使い勝手が悪くなるのを防止することができる。
【００６４】
図６は、第２実施形態に係る通信装置としての画像形成装置のファクシミリ通信部及びその周辺部の主要内部構成を概略的に示した機能ブロック図である。図２に示した第１実施形態に係る通信装置としての画像形成装置１とは、中継線ＢとモジュラージャックＪ２とを接続するための（通信線Ｃ１，Ｃ２を有する）中継線Ｃの通信線Ｃ１を遮断するためのリレー７７が設けられている点で相違している。また、リレー７７は、制御ユニット１０によってオン・オフが制御される。なお、リレー７７は、特許請求の範囲における回線側スイッチ部の一例となる。
【００６５】
次に、制御ユニット１０で行われる処理動作について、図７に示したフローチャートに基づいて説明する。なお、この処理動作は、電源が投入され、ファクシミリ通信部７１が使用可能な状態になったときに行われる処理動作である。
【００６６】
まず、誤接続判定部１０１が、ファクシミリ通信部７１のリレー７５をオフに制御して、中継線Ｂを遮断し、電圧検出部７４により検出される電圧の大きさからモジュラージャックＪ２，Ｊ３への誤接続が生じているか否かを判定する（Ｓ２１）。
【００６７】
誤接続判定部１０１が、モジュラージャックＪ２，Ｊ３への誤接続が生じていないと判定すれば（Ｓ２１でＮＯ）、Ｓ２１へ戻る。
【００６８】
一方、誤接続判定部１０１が、モジュラージャックＪ２，Ｊ３への誤接続が生じていると判定すれば（Ｓ２１でＹＥＳ）、誤接続判定部１０１は、リレー７５をオンに制御し（Ｓ２２）、処置実行部１０２が、電話回線Ｌを用いたファクシミリ通信が行われる時にオフ制御されるリレーをリレー７５からリレー７７に変更する（Ｓ２３）。
【００６９】
次に、制御ユニット１０で行われる処理動作について、図８に示したフローチャートに基づいて説明する。なお、この処理動作は、モジュラージャックＪ２，Ｊ３への誤接続が解消されていない場合に行われる処理動作である。
【００７０】
まず、監視部１０３が、電圧検出部７４により検出される電圧の変化を監視し（Ｓ３１）、監視部１０３が、モジュラーケーブルＣＡ，ＣＢがモジュラージャックＪ２，Ｊ３から一旦引き抜かれた後、再度装着されたか否か（すなわち、モジュラージャックＪ２，Ｊ３に対するモジュラーケーブルＣＡ，ＣＢの装着のやり直しが行われたか否か）を判断する（Ｓ３２）。
【００７１】
監視部１０３が、モジュラージャックＪ２，Ｊ３に対するモジュラーケーブルＣＡ，ＣＢの装着のやり直しが行われていないと判断すれば（Ｓ３２でＮＯ）、Ｓ３１へ戻る。
【００７２】
一方、監視部１０３が、モジュラージャックＪ２，Ｊ３に対するモジュラーケーブルＣＡ，ＣＢの装着のやり直しが行われたと判断すれば（Ｓ３２でＹＥＳ）、誤接続判定部１０１が、リレー７５をオフに制御して、中継線Ｂを遮断し、電圧検出部７４により検出される電圧の大きさからモジュラージャックＪ２，Ｊ３へモジュラーケーブルＣＡ，ＣＢが正しく装着され、誤接続が解消されたか否かを判定する（Ｓ３３）。
【００７３】
誤接続判定部１０１が、モジュラージャックＪ２，Ｊ３への誤接続が解消されていないと判定すれば（Ｓ３３でＮＯ）、Ｓ３１へ戻る。
【００７４】
一方、誤接続判定部１０１が、モジュラージャックＪ２，Ｊ３への誤接続が解消されたと判定すれば（Ｓ３３でＹＥＳ）、誤接続判定部１０１は、リレー７５をオンに制御し（Ｓ３４）、処置実行部１０２が、電話回線Ｌを用いたファクシミリ通信が行われる時にオフ制御されるリレーをリレー７７からリレー７５に戻す（Ｓ３５）。
【００７５】
上記実施形態によれば、モジュラージャックＪ２，Ｊ３への誤接続が生じていると判定された場合、電話回線Ｌを用いたファクシミリ通信が行われる時、リレー７５はオフされず、代わりにリレー７７がオフされるので、中継線Ｂは遮断されず、中継線Ｃが遮断される。
【００７６】
従って、モジュラージャックＪ２，Ｊ３への誤接続が生じていたとしても、電話回線Ｌは遮断されないので、電話回線Ｌを用いたファクシミリ通信ができ、電話機８２からのノイズが通信データに入るのを防止することもできる。
【００７７】
本発明は上記実施の形態の構成に限られず種々の変形が可能である。また、上記実施形態では、本発明に係る通信装置の一実施形態として画像形成装置の複合機を用いて説明しているが、これは一例に過ぎず、他の電子機器、例えば、ファクシミリ機能を有した他の画像形成装置でもよい。
【００７８】
また、上記実施形態では、図１乃至図８用いて上記実施形態により示した構成及び処理は、本発明の一実施形態に過ぎず、本発明を当該構成及び処理に限定する趣旨ではない。
【符号の説明】
【００７９】
１          画像形成装置
１０        制御ユニット
７１        ファクシミリ通信部
７４        電圧検出部
７５，７７  リレー
８２        電話機
１００      制御部
１０１      誤接続判定部
１０２      処置実行部
１０３      監視部
Ａ          接続線
Ｂ，Ｃ      中継線
Ｊ１，Ｊ２，Ｊ３  モジュラージャック
Ｌ          電話回線
【図１】
0006471666.tif 000002
【図２】
0006471666.tif 000003
【図３】
0006471666.tif 000004
【図４】
0006471666.tif 000005
【図５】
0006471666.tif 000006
【図６】
0006471666.tif 000007
【図７】
0006471666.tif 000008
【図８】
0006471666.tif 000009